(57)【要約】【課題】組立性及び体積、重量効率に優れた集合電池を提供する。【解決手段】集合電池２８は、８個の個縛済電池５ｃを備えている。個縛済電池５ｃは、二次電池１の外周側面に、外周側面に接する面の対面が平面状のスペーサ４ａが配置されており、二次電池１及びスペーサ４ａが熱収縮チューブ９に被覆されて個縛、密着されている。個縛済電池５ｃは、隣接する二次電池１の正、負極端子が上下方向を交互にして固定接着面６ｃ同士及び隣接する固定接着面６ｄ同士が接着され組み合わされている。二次電池１の正、負極端子は、接続ブスバ７で隣接する二次電池１の異極同士に接続されており、二次電池１全体として直列に接続され、集合電池２８が構成されている。スペーサ４ａ及び熱収縮チューブ９を用い固定接着面６ｃ、６ｄを各個縛済電池５ｃを組み合わせるための固定面とする。【選択図】図１
2004335452.tif 000002
【特許請求の範囲】
【請求項１】
正極、負極の間にセパレータを介在させた電極群と電解液とを円筒容器に収容した円柱状電池を複数個組み合わせた集合電池において、前記円柱状電池の外周側面に、この外周側面に接する面の対面が平面状の第１のスペーサが配置されており、前記円柱状電池は少なくとも前記対面が固定面とされ組み合わされたことを特徴とする集合電池。
【請求項２】
前記円柱状電池の前記第１のスペーサが配置された外周側面の反対側面に、この反対側面に接する面の対面が平面状で前記第１のスペーサと同形状の第２のスペーサが更に配置されており、前記円柱状電池は更に前記第２のスペーサの対面が固定面とされ組み合わされたことを特徴とする請求項１に記載の集合電池。
【請求項３】
前記第１のスペーサは、断面略コ字状であり、前記円柱状電池の外周側面に接する面に前記円柱状電池の位置決めをするための窪みが形成されたことを特徴とする請求項１又は請求項２に記載の集合電池。
【請求項４】
前記第１のスペーサは断面略矩形状の枠であり、前記枠に前記円柱状電池が装入されたことを特徴とする請求項１に記載の集合電池。
【請求項５】
前記第１のスペーサは断面略三角形状であり、前記円柱状電池の外周側面に接する面に窪みが形成され、前記円柱状電池は前記窪みが形成された面以外の２面のうち少なくとも１面が固定面とされ組み合わされたことを特徴とする請求項１に記載の集合電池。
【請求項６】
前記円柱状電池の前記第１のスペーサが配置された外周側面の反対側面に、前記第１のスペーサと同形状の第２のスペーサが更に配置されており、前記円柱状電池は更に前記第２のスペーサの窪みが形成された面以外の２面のうち少なくとも１面が固定面とされ組み合わされたことを特徴とする請求項６に記載の集合電池。
【請求項７】
前記スペーサ及び前記円柱状電池は、熱収縮した筒状体で被覆されたことを特徴とする請求項１乃至請求項６のいずれか１項に記載の集合電池。
【発明の詳細な説明】
【技術分野】
【０００１】
本発明は、集合電池に係り、特に、正極、負極の間にセパレータを介在させた電極群と電解液とを円筒容器に収容した円柱状電池を複数個組み合わせた集合電池に関する。
【背景技術】
【０００２】
従来、円柱状電池を複数個組み合わせて集合電池を構成するために、電池ホルダに円柱状電池を保持したり（例えば、特許文献１参照）、円柱状電池の直径より大きな内径を持つ筒状電池ホルダに円柱状電池を挿入し、その筒状電池ホルダ両端面に円柱状電池間を電気的に接続する金属片を溶接、又はネジ締結し、この接合力で電池を固定する技術が開示されている。
【０００３】
【特許文献１】特開平第１０−２７０００６号公報（図８、段落番号「００３２」〜「００４０」）
【発明の開示】
【発明が解決しようとする課題】
【０００４】
しかしながら、上記特許文献１の技術では、電池ホルダが複雑なためコスト高となる。また、電池ホルダの電池を保持する部位が電池側面と同形状に湾曲しており電池の組立作業が煩雑化する。更に、電池を固定した集合電池をリサイクルする際に、解体作業が煩雑化し廃棄部材の量が増加する、という問題が生ずる。
【０００５】
また、筒状電池ホルダ内に円柱状電池を挿入する技術では、電池ホルダがコスト高となるだけでなく、電池ホルダの接合力により円柱状電池を固定し電気的接続を担うために、金属片の体積が大きくなってしまい、その分集合電池の重量が増加する。
【０００６】
本発明は、上記事案に鑑み、組立性及び体積、重量効率に優れた集合電池を提供することを課題とする。
【課題を解決するための手段】
【０００７】
上記課題を解決するために、本発明は、正極、負極の間にセパレータを介在させた電極群と電解液とを円筒容器に収容した円柱状電池を複数個組み合わせた集合電池において、前記円柱状電池の外周側面に、この外周側面に接する面の対面が平面状の第１のスペーサが配置されており、前記円柱状電池は少なくとも前記対面が固定面とされ組み合わされている。
【０００８】
本発明では、円柱状電池の外周側面に第１のスペーサが配置され、第１のスペーサの円柱状電池に接する面の対面が平面状のため、少なくとも第１のスペーサの対面を固定面とすることができるので、円柱状電池の組立性を向上させることができると共に、第１のスペーサが占める体積、重量の増加を抑制でき、集合電池の体積、重量効率を向上させることができる。
【０００９】
本発明において、円柱状電池の第１のスペーサが配置された外周側面の反対側面に、この反対側面に接する面の対面が平面状で第１のスペーサと同形状の第２のスペーサを更に配置すれば、第１及び第２のスペーサの固定面で円柱状電池を固定して組み合わせることができる。また、第１のスペーサを、断面略コ字状とし、円柱状電池の外周側面に接する面に円柱状電池の位置決めをするための窪みを形成すれば、円柱状電池と第１のスペーサとの一体化を容易かつ確実に行うことができる。更に、第１のスペーサを断面略矩形状の枠とし、枠に円柱状電池を装入すれば、部材数が円柱状電池あたり１個と少ないため、コストを低減することができると共に、円柱状電池に４個の固定面を形成することができる。
【００１０】
また、第１のスペーサが断面略三角形状であり、円柱状電池の外周側面に接する面に窪みが形成され、円柱状電池は窪みが形成された面以外の２面のうち少なくとも１面が固定面とされ組み合わされるようにしてもよく、更に、円柱状電池の第１のスペーサが配置された外周側面の反対側面に、第１のスペーサと同形状の第２のスペーサが更に配置されており、円柱状電池は更に第２のスペーサの窪みが形成された面以外の２面のうち少なくとも１面が固定面とされ組み合わされようにしてもよい。これらの形態では、より集合電池の小型化を実現することができる。また、スペーサ及び円柱状電池を、熱収縮した筒状体で被覆すれば、加熱して形状変形する筒状体を収縮させることで円柱状電池とスペーサとを一体とすることができるので、組立性を向上させることができる。
【発明の効果】
【００１１】
本発明によれば、円柱状電池の外周側面に第１のスペーサが配置され、第１のスペーサの円柱状電池に接する面の対面が平面状のため、少なくとも第１のスペーサの対面を固定面とすることができるので、円柱状電池の組立性を向上させることができると共に、第１のスペーサが占める体積、重量の増加を抑制でき、集合電池の体積、重量効率を向上させることができる、という効果を得ることができる。
【発明を実施するための最良の形態】
【００１２】
（第１実施形態）
以下、図面を参照して、本発明に係る集合電池の第１の実施の形態について説明する。
【００１３】
（構成）
図１（Ａ）、（Ｂ）に示すように、本実施形態の集合電池２８は、２行４列に配設された８個の個縛済電池５ｃを備えている。
【００１４】
図２及び図３に示すように、各個縛済電池５ｃは、円筒型リチウムイオン二次電池（以下、二次電池と略称する。）１がその外周側面に板状の合成樹脂製スペーサ４ａが配置されており、二次電池１及びスペーサ４ａが合成樹脂製で筒状の熱収縮チューブ９に被覆されて個縛、密着されている。スペーサ４ａは、二次電池１の外周側面に接する面に、二次電池１の位置決めをするための円弧状窪み２４ａが形成されている。また、スペーサ４ａの窪み２４ａが形成された面の対面は、平面状とされており、両角部にＲ付けがなされている。このため、個縛済電池５ｃは、この対面に形成された１個の平面状の固定接着面６ｃと、固定接着面６ｃと交差する２個の平面状の固定接着面６ｄとを有している。
【００１５】
二次電池１は、正極及び負極をリチウムイオンの通過を許容するポリエチレン製微多孔薄膜のセパレータを介してガラスフィラが３０％混入したポリプロピレン製中空棒状の軸芯の周りに捲回した電極群と非水電解液とが円筒状の有底電池缶内に収容され、電池内圧が所定圧に到達するとガスを開放するガス開放弁を有する上蓋キャップ２が絶縁体を介してカシメ封口されカシメ部３が形成されている（図２参照）。上蓋キャップ２、電池缶の底面は、それぞれ二次電池１の正、負極端子となる。
【００１６】
正極は、活物質のマンガン酸リチウム（ＬｉＭｎ２Ｏ４）粉末１００重量部に、導電剤として平均粒径２０μｍの鱗片状黒鉛１０重量部、結着剤のポリフッ化ビニリデン（ＰＶＤＦ）１０重量部を添加し、これに分散溶媒のＮ−メチルピロリドンを添加、混練して得たスラリをアルミニウム箔の両表面に塗布、乾燥、プレス、裁断して得られたものである。
【００１７】
一方、負極は、グラファイト粉末１００重量部に、結着剤としてＰＶＤＦ１０重量部を添加し、これに分散溶媒のＮ−メチルピロリドンを添加、混練して得たスラリを圧延銅箔の両面に塗布、乾燥、プレス、裁断して得られたものである。
【００１８】
非水電解液には、例えば、６フッ化リン酸リチウム（ＬｉＰＦ６）や４フッ化ホウ酸リチウムをエチレンカーボネート（ＥＣ）、ジメチルカーボネート（ＤＭＣ）などの有機溶媒に１モル／リットル程度溶解した電解液が用いられている。
【００１９】
図１に示すように、個縛済電池５ｃは、隣接する二次電池１の正、負極端子が上下方向を交互にして固定接着面６ｃ同士及び隣接する固定接着面６ｄ同士が接着され組み合わされている。すなわち、固定接着面６ｃ、６ｄは、個縛済電池５ｃ同士の固定面となる。
【００２０】
二次電池１の正、負極端子は、板状の金属製接続ブスバ７で隣接する二次電池の異極同士に接続されており、二次電池１全体として直列に接続され、集合電池２８が構成されている。なお、接続ブスバ７の両端部に図示を省略した十字状の溶接用貫通穴（プロジェクション）が形成されており、正、負極端子はそれぞれ貫通穴を介して接続ブスバ７にスポット溶接されている。
【００２１】
（集合電池の作製）
次に、本実施形態の集合電池２８の作製手順について説明する。
【００２２】
二次電池１の外周側面にスペーサ４ａを配置し、熱収縮チューブ９で二次電池１及びスペーサ４ａを被覆する。次に、熱収縮チューブ５ａを熱収縮させて二次電池１及びスペーサ４ａを個縛、密着する。これにより、個縛済電池５ｃが作製される。
【００２３】
複数の個縛済電池５ｃを作製した後、接着される個縛済電池５ｃ同士の一方の固定接着面６ｃ、６ｄに接着剤を塗布した後、固定治具中に隣接する電池の上下を逆にして挿入し、固定接着面６ｃ、６ｄ同士を接着して個縛済電池５ｃを組み合わせる。個縛済電池５ｃの正、負極端子と隣接する個縛済電池５ｃの異極同士とを接続ブスバ７の溶接用貫通穴を介してスポット溶接し、集合電池２８の作製が完了する。
【００２４】
（作用）
次に、本実施形態の集合電池２８の作用等について説明する。
【００２５】
本実施形態の集合電池２８では、二次電池１の外周側面にスペーサ４ａが配置されており、個縛済電池５ｃの固定接着面６ｃ、６ｄが平面状とされている。このため、固定接着面６ｃ、６ｄを個縛済電池５ｃ同士の固定面とすることができるので、二次電池１の組立性を向上させることができる。また、スペーサ４ａが板状の形状を有していると共にスペーサ４ａ及び絶縁チューブ９が共に合成樹脂製で軽量のため、スペーサ４ａが占める体積、重量の増加を抑制できるので、集合電池２８の体積、重量効率を向上させることができる。更に、複雑でコスト高となる電池ホルダが不要となるので、集合電池２８の低コスト化を図ることができる。
【００２６】
また、本実施形態の集合電池２８では、集合電池２８をリサイクルするために解体する場合や、直並列接続に変更がある場合に、熱収縮チューブ９を破断するだけで、簡単に解体することができる。また、スペーサ４ａは、解体作業後に繰り返し利用することができるので、リサイクル性に優れた集合電池２８とすることができる。
【００２７】
更に、本実施形態の集合電池２８では、スペーサ４ａ及び二次電池１を被覆するために、熱収縮チューブ９が用いられている。このため、熱収縮チューブ９を加熱して収縮させることで、二次電池１とスペーサ４ａとを一体とすることができるので、更に組立性を向上させることができる。また、スペーサ４ａ及び熱収縮チューブ９が合成樹脂製とされているため、各二次電池１同士を絶縁することができる。
【００２８】
また更に、本実施形態の集合電池２８では、スペーサ４ａの二次電池１の外周側面に接する面に円弧状窪み２４ａが形成されている。このため、組立時に二次電池１とスペーサ４ａとの一体化を容易かつ確実に行うことができる。
【００２９】
そして、本実施形態の集合電池２８では、各二次電池１を固定接着面６ｃ、６ｄで接着した後、正、負極端子に接続ブスバ７をスポット溶接し直列接続するため、接続作業が容易となる。
【００３０】
なお、本実施形態では、固定接着面６ｃ、６ｄが平面状とされ個縛済電池５ｃ同士の固定面とされている例を示したが、少なくとも固定接着面６ｃが平面状とされていれば、２個の二次電池１を組み合わせることができる。
【００３１】
また、本実施形態では、８個の二次電池１が組み合わされ直列に接続された集合電池２８を例示したが、二次電池１の組み合わせ及び接続はこれらに限定されず、例えば、２個の二次電池１を並列接続し、並列接続した電池を８個直列に接続するようにしてもよい。
【００３２】
（第２実施形態）
次に、本発明を集合電池に適用した第２の実施の形態について説明する。本実施形態では、二次電池１の外周側面の反対側面に第１実施形態に示したスペーサ４ａと同形状のスペーサ１４ａを更に配置し絶縁チューブ９で被覆して個縛済電池とするものである。なお、本実施形態以降の実施形態において、上述した第１実施形態と同一の部材には同一の符号を付してその説明を省略し、異なる箇所のみ説明する。
【００３３】
図４に示すように、本実施形態の集合電池８は、１行４列に配設された４個の個縛済電池５ａを備えている。
【００３４】
図５に示すように、個縛済電池５ａは、二次電池１の外周側面の反対側面にスペーサ１４ａが更に配置されており、スペーサ４ａ、１４ａを介して二次電池１が熱収縮チューブ９に被覆されて個縛、密着されている。このため、個縛済電池５ａは、スペーサ４ａ、１４ａの二次電池１に接する面のそれぞれ対面に平面状の固定接着面６ａを有している。個縛済電池５ａは、隣接する二次電池１の正、負極端子が上下方向を交互にして固定接着面６ａ同士が接着され一列に組み合わされている。すなわち、固定接着面６ａは、個縛済電池５ａ同士の固定面となる。
【００３５】
二次電池１の外周側面と反対側面に、スペーサ４ａ、１４ａを配設し、熱収縮チューブ９で二次電池１及びスペーサ４ａ、１４ａを被覆する。次に、熱収縮チューブ５ａを熱収縮させて二次電池１及びスペーサ４ａ、１４ａを個縛、密着する。これにより、個縛済電池５ａが作製される。
【００３６】
複数の個縛済電池５ａを作製した後、接着される個縛済電池５ａ同士の一方の固定接着面６ａに接着剤を塗布した後、固定治具中に隣接する電池の上下を逆にして挿入し、固定接着面６ａ同士を接着して個縛済電池５ａを組み合わせ、接続ブスバ７を接続し集合電池８を作製する。
【００３７】
本実施形態の集合電池８では、二次電池１のスペーサ４ａが配置された外周側面の反対側面に、スペーサ１４ａが配置されている。このため、それぞれスペーサ４ａ、１４ａの固定接着面６ａで個縛済電池５ａ同士を接着して組み合わせることができる。固定接着面６ａが固定接着面６ｄより大きく接合力が大きいので、振動等の外力に強い集合電池８とすることができる。
【００３８】
なお、上記（第１、第２）実施形態では、二次電池１に接する面が円弧状のスペーサ４ａ（１４ａ）を用いる例を示したが、図８（Ａ）、（Ｂ）に示すように、二次電池１の外周側面に接する面に位置決めするための略コ字状窪み２４ｂが形成された合成樹脂製で板状のスペーサ４ｂを二次電池１あたり１個又は２個用いるようにしてもよい。例えば、図７（Ａ）、（Ｂ）に示すように、二次電池１の外周側面にスペーサ４ｂが配置されており、この外周側面の反対側面にスペーサ４ｂと同形状のスペーサ１４ｂが配置された個縛済電池５ｂを構成してもよい。図６に示すように、個縛済電池５ｂは、外側面に２個の略矩形平面状の固定接着面６ｂを有している。このため、固定接着面６ｂで個縛済電池５ｂを組み合わせることができると共に、スペーサ４ａ、１４ａを用いる場合に比べスペーサの重量を低減させることができるので、集合電池８の重量効率を更に向上させることができる。
【００３９】
また、本実施形態では、二次電池１の外周側面及び反対側面に同形状のスペーサ４ａ、１４ａが配設される例を示したが、反対側面にスペーサ４ｂを配置するようにしても同様に個縛済電池を組み合わせることができる。
【００４０】
（第３実施形態）
本実施形態では、図９に示すように、スペーサ４ａ、１４ａを用いる代わりに断面略矩形状の枠６ｅが用いられている。個縛済電池５ｄは、枠６ｅ内に二次電池１が装入されている。個縛済電池５ｄの外面には、４個の平面状の固定接着面６ｅが形成されている。
【００４１】
本実施形態の集合電池では、個縛済電池５ｄは枠６ｅ内に二次電池１が装入されて構成されている。このため、熱収縮チューブ９を熱収縮させる必要がないので、熱硬化時間が不要となるため、更に組立性を向上させることができる。
【００４２】
また、本実施形態の集合電池では、個縛済電池５ｄの外面に４個の平面状の固定接着面６ｅを有している。このため、個縛済電池５ｄを一方向だけでなく二方向に配列して組み合わせることができると共に、第２実施形態と同様に固定接着面６ｅが固定接着面６ｄより大きく接合力が大きいので、振動等の外力に強い集合電池とすることができる。
【００４３】
更に、本実施形態の集合電池では、二次電池１あたり１個の枠６ｅで個縛済電池５ｄが構成されている。このため、二次電池１あたりの部材数を減少させることができるため、コストを低減させることができる。
【００４４】
（第４実施形態）
本実施形態では、図１０に示すように、集合電池３８が、２行４列に配設された８個の個縛済電池５ｅを備えている。
【００４５】
図１１に示すように、二次電池１の外周側面に沿うように断面形状が略三角形をなす柱状の合成樹脂製スペーサ４ｅを配置し、熱収縮チューブ９で二次電池１及びスペーサ４ｅを被覆する。次に、熱収縮チューブ９を熱収縮させて二次電池１及びスペーサ４ｅを個縛、密着する。これにより、個縛済電池５ｅが作製される。
【００４６】
従って、本実施形態では、スペーサ４ｅ、二次電池１の外周側面に接する面に、二次電池１の位置決めをするための円弧状窪み２４ｅが形成されている。個縛済電池５ｅは、このスペーサ４ｅと熱収縮チューブ９により、この外周延長部に２個の平面状の固定接着面６ｆを有している。
【００４７】
個縛済電池５ｅは、隣接する二次電池１の正、負極端子が上下方向を交互に隣接し、固定接着面６ｆは一方の行を成す二次電池の固定接着面６ｆとが相対するよう配置される。この配置作業時には相対する固定接着面６ｆに接着剤を塗布しておき、固定治具に配列保持して固定接着する。固定接着完了後、二次電池１の正、負極端子は、板状の金属製接続ブスバ７で隣接する二次電池の異極同士を接続し、二次電池１全体として直列に接続して集合電池３８を完成させる。
【００４８】
図１０に示すように、本実施形態では、固定接着面６ｆが集合電池３８の内部空間に位置するため、さらに集合電池３８の小型化が実現できる。
【００４９】
（第５実施形態）
本実施形態では、二次電池１の外周側面の反対側面に第４実施形態に示したスペーサ４ｅと同形状のスペーサ１４ｅを更に配置し絶縁チューブ９で被覆して個縛済電池とするものである。なお、本実施形態において、上述した第４実施形態と同一の部材には同一の符号を付してその説明を省略し、異なる箇所のみ説明する。
【００５０】
図１２に示すように、本実施形態の集合電池４８は、３行３列に配設された６個の個縛済電池５ｅと３個の個縛済電池５ｆを備えている。
【００５１】
図１３に示すように、個縛済電池５ｆは、二次電池１の外周側面の反対側面にスペーサ１４ｅが更に配置されており、スペーサ４ｅ、１４ｅを介して二次電池１を熱収縮チューブ９で被覆した後、熱収縮させて個縛、密着させる。このため、個縛済電池５ｆは、スペーサ４ｅ、１４ｅおよび熱収縮チューブ９にて、この二次電池１の外周延長部に４個の平面状の固定接着面６ｇを有している。
【００５２】
個縛済電池５ｅは、隣接する二次電池１の正、負極端子が上下方向を交互に配置し、次いで隣の行を成す個縛済電池５ｆも同様に正、負極端子が上下方向で交互となるよう配置した後、再度、個縛済電池５ｅを上記同様に配置して第３の行を構成する。このとき、固定接着面６ｇと固定接着面６ｆが相対する面にはあらかじめ接着剤を塗布しておき、固定治具に配列保持して固定接着を完了させる。なお、この配置順番は一例であり、この配置順番に従わなくても集合電池４８を作製できることは云うまでもない。
【００５３】
これら固定接着面６ｇと固定接着面６ｆの対面は個縛済電池５ｅおよび個縛済電池５ｆの固定面となる。固定接着完了後、二次電池１の正、負極端子は、板状の金属製接続ブスバ７で隣接する二次電池の異極同士を接続し、二次電池１全体として直列に接続して集合電池４８を完成させる。
【００５４】
本実施形態の集合電池４８では、二次電池１のスペーサ４ｅが配置された外周側面の反対側面に、スペーサ１４ｅが配置されている。このため、それぞれスペーサ４ｅ、１４ｅの固定接着面６ｆ、６ｇで個縛済電池５ｅ、個縛済電池５ｆを接着して組み合わせることができる。また、固定接着面６ｆ、６ｇが集合電池４８の内部空間に位置するため、３行以上の集合電池の小型化が実現できる。
【産業上の利用可能性】
【００５５】
本発明は組立性及び体積、重量効率に優れた集合電池を提供し、集合電池の製造、販売に寄与するため、産業上の利用可能性を有する。
【図面の簡単な説明】
【００５６】
【図１】本発明が適用可能な第１実施形態の集合電池を示し、（Ａ）は平面図、（Ｂ）は正面図である。
【図２】第１実施形態の個縛済電池を示し、（Ａ）は平面図、（Ｂ）は正面図である。
【図３】第１実施形態の個縛済電池のスペーサを示し、（Ａ）は平面図、（Ｂ）は正面図である。
【図４】第２実施形態の集合電池を示し、（Ａ）は平面図、（Ｂ）は正面図である。
【図５】第２実施形態の個縛済電池を示し、（Ａ）は平面図、（Ｂ）は正面図である。
【図６】本発明が適用可能な他の実施形態の集合電池を示し、（Ａ）は平面図、（Ｂ）は正面図である。
【図７】他の実施形態の個縛済電池を示し、（Ａ）は平面図、（Ｂ）は正面図である。
【図８】他の実施形態の個縛済電池のスペーサを示し、（Ａ）は平面図、（Ｂ）は正面図である。
【図９】第３実施形態の個縛済電池を示し、（Ａ）は平面図、（Ｂ）は正面図である。
【図１０】第４実施形態の集合電池の平面図である。
【図１１】第４実施形態の個縛済電池の分解斜視図である。
【図１２】第５実施形態の集合電池の平面図である。
【図１３】第５実施形態の個縛済電池の分解斜視図である。
【符号の説明】
【００５７】
１  円筒型リチウムイオン二次電池（円柱状電池）
４ａ、４ｂ、４ｅ  スペーサ（第１のスペーサ）
１４ａ、１４ｂ、１４ｅ  スペーサ（第２のスペーサ）
４ｄ  枠
５ａ、５ｂ、５ｃ、５ｄ、５ｅ、５ｆ  個縛済電池
６ａ、６ｂ、６ｃ、６ｄ、６ｅ、６ｆ、６ｇ  固定接着面（固定面）
９  熱収縮チューブ（筒状体）
２４ａ、２４ｂ、２４ｃ、２４ｄ  窪み
８、１８、２８、３８、４８  集合電池
【図１】
2004335452.tif 000003
【図２】
2004335452.tif 000004
【図３】
2004335452.tif 000005
【図４】
2004335452.tif 000006
【図５】
2004335452.tif 000007
【図６】
2004335452.tif 000008
【図７】
2004335452.tif 000009
【図８】
2004335452.tif 000010
【図９】
2004335452.tif 000011
【図１０】
2004335452.tif 000012
【図１１】
2004335452.tif 000013
【図１２】
2004335452.tif 000014
【図１３】
2004335452.tif 000015